(57)【要約】【課題】干渉を起こす可能性のある信号が非線形素子を通過することを防ぐ。【解決手段】アンテナ（１２Ａ）と、アンテナ（１２Ａ）に接続されたスイッチ（１４Ａ）と、アンテナ（１２Ａ）とスイッチ（１４Ａ）とを繋ぐ経路上に設けられたフィルタ（１８Ａ）とを備えている。【選択図】図１
2018182478.tif 000002
【特許請求の範囲】
【請求項１】
アンテナと、
当該アンテナに接続された非線形素子と、
前記アンテナと前記非線形素子とを繋ぐ経路上に設けられたフィルタと
を備えていることを特徴とする無線機。
【請求項２】
３つ以上の無線機を備えた無線装置であって、
上記３つ以上の無線機の少なくとも何れかは、
アンテナと、
当該アンテナに接続された非線形素子と、
前記アンテナと前記非線形素子とを繋ぐ経路上に設けられたフィルタと
を備えていることを特徴とする無線装置。
【請求項３】
上記フィルタは、当該フィルタの設けられた無線機が通信する周波数帯域と、他の１つの無線機が通信する周波数帯域とを含む帯域を透過させ、それ以外の帯域を遮断することを特徴とする請求項２に記載の無線装置。
【請求項４】
制御部を備え、
上記制御部は、当該無線装置が備える各無線機が通信する周波数帯域を決定し、当該決定結果に応じて、複数のフィルタ候補から、上記フィルタを選択する
ことを特徴とする請求項３に記載の無線装置。
【請求項５】
複数の無線装置を含む無線システムにおいて、
上記複数の無線装置のうち少なくとも何れかの無線装置は、３つ以上の無線機を備えた無線装置であり、
上記３つ以上の無線機のうち少なくとも何れかの無線機は、
アンテナと、
当該アンテナに接続された非線形素子と、
前記アンテナと前記非線形素子とを繋ぐ経路上に設けられたフィルタと
を備えていることを特徴とする無線システム。
【請求項６】
上記少なくとも何れかの無線装置は、１又は複数の他の無線装置と通信を行うことを特徴とする請求項５に記載の無線システム。
【請求項７】
３つ以上の無線機を備えた無線装置の制御方法であって、
上記３つ以上の無線機の少なくとも何れかは、
アンテナと、
当該アンテナに接続された非線形素子と、
前記アンテナと前記非線形素子とを繋ぐ経路上に設けられたフィルタと
を備えており、
上記フィルタの設けられた無線機の少なくとも何れかが信号を受信すると、当該信号の周波数を含む周波数帯域を、当該無線機に割り当てる割当ステップと、
上記フィルタを、当該フィルタの設けられた無線機が通信する周波数帯域と、１つ以下の他の無線機が通信する周波数帯域とを含む帯域を透過させ、それ以外の帯域を遮断するフィルタに切り替える切替ステップと
を含むことを特徴とする制御方法。
【請求項８】
請求項４に記載の無線装置としてコンピュータを機能させるための制御プログラムであって、上記制御部としてコンピュータを機能させるための制御プログラム。
【請求項９】
複数の無線装置を含む無線システムの制御方法であって、
上記複数の無線装置のうち少なくとも何れかの無線装置は、３つ以上の無線機を備えた無線装置であり、
上記３つ以上の無線機のうち少なくとも何れかの無線機は、
アンテナと、
当該アンテナに接続された非線形素子と、
前記アンテナと前記非線形素子とを繋ぐ経路上に設けられたフィルタと
を備えており、
上記フィルタの設けられた無線機の少なくとも何れかが信号を受信すると、当該信号の周波数を含む周波数帯域を、当該無線機に割り当てる割当ステップと、
上記フィルタを、当該フィルタの設けられた無線機が通信する周波数帯域と、１つ以下の他の無線機が通信する周波数帯域とを含む帯域を透過させ、それ以外の帯域を遮断するフィルタに切り替える切替ステップと
を含むことを特徴とする制御方法。
【発明の詳細な説明】
【技術分野】
【０００１】
本発明は非線形素子を備えた無線機による通信に関する。
【背景技術】
【０００２】
無線機が選択しているチャンネルが干渉を受けると、干渉を検知して、干渉を受けていないチャンネルを無線機に再割り当てして干渉を避ける技術が開示されている（特許文献１）。
【先行技術文献】
【特許文献】
【０００３】
【特許文献１】特開２００８−５２０１６９号公報（２００８年６月１２日公開）
【発明の概要】
【発明が解決しようとする課題】
【０００４】
しかしながら、チャンネルの数は限られており、上述のような、干渉を受けてから、干渉を避ける従来技術では、良好な通信が難しいという問題がある。
【０００５】
また、周辺に複数の無線機がある場合、その使用周波数の各々から直接干渉を受けなかった場合にも、無線機が非線形素子を備えている場合、受信信号が非線形素子を通過することにより発生する相互変調が周波数帯域を占有する場合がある。
【０００６】
本発明の一態様は、干渉を起こす可能性のある信号が非線形素子を通過することを防ぐことを目的とする。
【課題を解決するための手段】
【０００７】
上記の課題を解決するために、本発明の一態様に係る無線機は、アンテナと、当該アンテナに接続された非線形素子と、前記アンテナと前記非線形素子とを繋ぐ経路上に設けられたフィルタとを備えている。
【０００８】
上記の課題を解決するために、本発明の一態様に係る無線装置は、３つ以上の無線機を備えた無線装置であって、上記３つ以上の無線機の少なくとも何れかは、アンテナと、当該アンテナに接続された非線形素子と、前記アンテナと前記非線形素子とを繋ぐ経路上に設けられたフィルタとを備えている。
【０００９】
上記の課題を解決するために、本発明の一態様に係る無線システムは、複数の無線装置を含む無線システムにおいて、上記複数の無線装置のうち少なくとも何れかの無線装置は、３つ以上の無線機を備えた無線装置であり、上記３つ以上の無線機のうち少なくとも何れかの無線機は、アンテナと、当該アンテナに接続された非線形素子と、前記アンテナと前記非線形素子とを繋ぐ経路上に設けられたフィルタとを備えている。
【００１０】
上記の課題を解決するために、本発明の一態様に係る制御方法は、３つ以上の無線機を備えた無線装置の制御方法であって、上記３つ以上の無線機の少なくとも何れかは、アンテナと、当該アンテナに接続された非線形素子と、前記アンテナと前記非線形素子とを繋ぐ経路上に設けられたフィルタとを備えており、上記フィルタの設けられた無線機の少なくとも何れかが信号を受信すると、当該信号の周波数を含む周波数帯域を、当該無線機に割り当てる割当ステップと、上記フィルタを、当該フィルタの設けられた無線機が通信する周波数帯域と、１つ以下の他の無線機が通信する周波数帯域とを含む帯域を透過させ、それ以外の帯域を遮断するフィルタに切り替える切替ステップとを含む。
【００１１】
上記の課題を解決するために、本発明の一態様に係る制御方法は、複数の無線装置を含む無線システムの制御方法であって、上記複数の無線装置のうち少なくとも何れかの無線装置は、３つ以上の無線機を備えた無線装置であり、上記３つ以上の無線機のうち少なくとも何れかの無線機は、アンテナと、当該アンテナに接続された非線形素子と、前記アンテナと前記非線形素子とを繋ぐ経路上に設けられたフィルタとを備えており、上記フィルタの設けられた無線機の少なくとも何れかが信号を受信すると、当該信号の周波数を含む周波数帯域を、当該無線機に割り当てる割当ステップと、上記フィルタを、当該フィルタの設けられた無線機が通信する周波数帯域と、１つ以下の他の無線機が通信する周波数帯域とを含む帯域を透過させ、それ以外の帯域を遮断するフィルタに切り替える切替ステップとを含む。
【発明の効果】
【００１２】
本発明の一態様によれば、干渉を起こす可能性のある信号が非線形素子を通過することを防ぐことができる、という効果を奏する。
【図面の簡単な説明】
【００１３】
【図１】本発明の実施形態１に係る通信システムの概要図である。
【図２】本発明の実施形態１に係る通信装置の実行する処理の流れを示すフローチャートである。
【図３】本発明の実施形態１に係る通信装置の使用する周波数帯域の説明図である。
【図４】本発明の実施形態２に係る通信装置の概要図である。
【図５】本発明の実施形態２に係る通信装置の使用する周波数帯域の説明図である。
【発明を実施するための形態】
【００１４】
（実施形態１）
本発明の一実施形態について、図１から図３に基づいて説明する。
【００１５】
〔無線システム〕
図１に示すように、無線システム１０００は、各々が無線装置である、ルート３、第１のリレー１、第２のリレー２を含んでいる。
【００１６】
〔無線装置〕
第１のリレー１は、各々が無線機である、第１のリレー無線機Ａ（符号では１０Ａと表記、以下同様）、第１のリレー無線機Ｂ（１０Ｂ）、第１のリレー無線機Ｃ（１０Ｃ）、および制御部１０Ｆを備えている。
【００１７】
制御部１０Ｆは、第１のリレー無線機Ａ（１０Ａ）、第１のリレー無線機Ｂ（１０Ｂ）、および第１のリレー無線機Ｃ（１０Ｃ）が通信する周波数帯域を決定し、決定結果に応じて、複数のフィルタ候補から、フィルタを選択する（フィルタについては後述する）。
【００１８】
第２のリレー２は、第２のリレー無線機Ａ（２０Ａ）、第２のリレー無線機Ｂ（２０Ｂ）、第２のリレー無線機Ｃ（２０Ｃ）、および制御部２０Ｆを備えている。
【００１９】
ルート３は、ルート無線機Ａ（３０Ａ）、ルート無線機Ｂ（３０Ｂ）、および制御部３０Ｆを備えている。
【００２０】
矢印Ａ１に示すように、ルート無線機Ｂ（３０Ｂ）と第１のリレー無線機Ａ（１０Ａ）とが無線通信する。
【００２１】
また、矢印Ａ２に示すように、第１のリレー無線機Ｂ（１０Ｂ）とＰＣ等の第１の外部機器１００とが無線通信する。
【００２２】
また、矢印Ａ３に示すように、第１のリレー無線機Ｃ（１０Ｃ）と第２のリレー無線機Ａ（２０Ａ）とが無線通信する。
【００２３】
また、矢印Ａ４に示すように、ルート無線機Ａ（３０Ａ）とＰＣ等の第３の外部機器３００とが無線通信する。
【００２４】
また、矢印Ａ５に示すように、第２のリレー無線機Ｂ（２０Ｂ）とＰＣ等の第２の外部機器２００とが無線通信する。
【００２５】
本実施形態では、第１のリレー無線機Ａ（１０Ａ）に注目する。
【００２６】
〔無線機〕
第１のリレー無線機Ａ（１０Ａ）は、アンテナ１２Ａ、非線形素子であるスイッチ１４Ａ、低雑音アンプ（ＬＮＡ：Low Noise Amplifier）１６Ａ、パワーアンプ（ＰＡ：Power Amplifier）１７Ａ、およびフィルタ１８Ａを備えている。
【００２７】
スイッチ１４Ａは、アンテナ１２Ａに接続されている。スイッチ１４Ａは、アンテナ１２Ａと、ＬＮＡ１６Ａ、またはＰＡ１７Ａとを選択的に接続する。
【００２８】
フィルタ１８Ａは、アンテナ１２Ａとスイッチ１４Ａとをつなぐ経路上に設けられている。フィルタ１８Ａは、透過周波数帯および遮断周波数体帯が互いに異なる複数のフィルタを含んで構成されており、通信する信号の周波数に応じて、第１のリレー１が備える制御部１０Ｆにより、何れかのフィルタに切り替えられる。
〔処理の流れ〕
次に、第１のリレー１が実行する処理（無線装置の制御方法）の流れを図２に基づいて説明する。また、図３は、各無線機への周波数帯域の割り当ての一例を示す図である。図３に示すように、本実施形態に係るフィルタ１８Ａ，１８Ｂ，１８Ｃは、５２５０ＭＨｚ以上の周波数を透過させるハイパスフィルタ、および５２５０ＭＨｚ未満の周波数を透過させるローパスフィルタを含む。
【００２９】
Ｓ１０において、制御部１０Ｆは、第１のリレー無線機Ａ（１０Ａ）のアンテナ１２Ａが、ルート３から信号を受信したか否かを判定する。ルート３から信号を受信した場合（Ｓ１０でＹＥＳ）、Ｓ１２に進む。
【００３０】
Ｓ１２において、制御部１０Ｆは、第１のリレー無線機Ａ（１０Ａ）に、受信した信号の周波数（ルート３から指定された通信周波数）を含む周波数帯域を割り当てる。例えば、図３に示す例において、第１のリレー無線機Ａ（１０Ａ）のアンテナ１２Ａが、ルート３から受信した信号の周波数は、５５００ＭＨｚであるので、タイプＷ５６（５４９０〜５７１０ＭＨｚ）の周波数帯域を割り当てる（割当ステップ）。
【００３１】
Ｓ１４において、制御部１０Ｆは、Ｓ１２にて割り当てた周波数帯域が透過するように、第１のリレー無線機Ａ（１０Ａ）のフィルタ１８Ａを切り替える。例えば、図３に示す例において、第１のリレー無線機Ａ（１０Ａ）には、タイプＷ５６が割り当てられたので、５２５０ＭＨｚ以上の周波数を透過させるハイパスフィルタに、フィルタ１８Ａを切り替える（切替ステップ）。
【００３２】
Ｓ１６において、制御部１０Ｆは、第１のリレー無線機Ｂ（１０Ｂ）、および第１のリレー無線機Ｃ（１０Ｃ）に、周波数帯域を割り当てる。その際、制御部１０Ｆは、第１のリレー無線機Ｂ（１０Ｂ）、および第１のリレー無線機Ｃ（１０Ｃ）のどちらか一方の無線機に対してのみ、フィルタ１８Ａを透過する周波数帯域を割り当てる。例えば、図３に示す例において、第１のリレー無線機Ａ（１０Ａ）にタイプＷ５６の周波数帯域が割り当てられているので、制御部１０Ｆは、第１のリレー無線機Ｂ（１０Ｂ）、および第１のリレー無線機Ｃ（１０Ｃ）のどちらか一方に、ハイパスフィルタに切り替えられたフィルタ１８Ａを透過しない周波数帯域を割り当てる。すなわち、第１のリレー無線機Ｂ（１０Ｂ）、および第１のリレー無線機Ｃ（１０Ｃ）のどちらか一方に、タイプＷ４９（４９１０〜４９９０ＭＨｚ）、またはタイプＷ５２（５１７０〜５２５０ＭＨｚ）の何れかの周波数帯域を割り当てる。本例においては、制御部１０Ｆは、第１のリレー無線機Ｂ（１０Ｂ）に、タイプＷ５３の周波数帯域を割り当てる。また、制御部１０Ｆは、第１のリレー無線機Ｃ（１０Ｃ）に、タイプＷ４９の周波数帯域を割り当てる。
【００３３】
〔相互変調の問題〕
ここで、相互変調の問題について説明する。本実施形態に係る第１のリレー１のように、筐体内部に３つ以上の無線機（第１のリレー無線機Ａ（１０Ａ）、第１のリレー無線機Ｂ（１０Ｂ）、および第１のリレー無線機Ｃ（１０Ｃ））を有する場合、第１のリレー無線機Ａ（１０Ａ）は、第１のリレー無線機Ｂ（１０Ｂ）、および第１のリレー無線機Ｃ（１０Ｃ）が送信する信号を受信する場合がある。
【００３４】
例えば、第１のリレー無線機Ｂ（１０Ｂ）が、５２９０ＭＨｚ〜５３１０ＭＨｚの信号を送信しており、第１のリレー無線機Ｃ（１０Ｃ）が、５６７０ＭＨｚ〜５６９０ＭＨｚの信号を送信していたとする。第１のリレー無線機Ａ（１０Ａ）における通信の周波数帯域が４９１０ＭＨｚ〜４９３０ＭＨｚであった場合、第１のリレー無線機Ｂ（１０Ｂ）が送信する信号、および第１のリレー無線機Ｃ（１０Ｃ）が送信する信号による直接的な干渉を受けない。
【００３５】
一方で、第１のリレー無線機Ｂ（１０Ｂ）が送信する信号と、第１のリレー無線機Ｃ（１０Ｃ）が送信する信号とが非線形素子であるスイッチ１４Ａを通過すると、相互変調が発生する。相互変調は、第１のリレー無線機Ｂ（１０Ｂ）が送信する信号の中心周波数と、第１のリレー無線機Ｃ（１０Ｃ）が送信する信号の中心周波数とから算出することができる。相互変調の中心周波数（ＩＭ＿Ｌ，ＩＭ＿Ｈ）は下記の通りである。
【００３６】
ＩＭ＿Ｌ＝２＊５３００−５６８０＝４９２０（ＭＨｚ）
ＩＭ＿Ｈ＝２＊５６８０−５３００＝６０６０（ＭＨｚ）
各々の帯域幅は６０ＭＨｚ（＝２０＊２＋２０）であるので、第１のリレー無線機Ａ（１０Ａ）の通信は、相互変調（ＩＭ＿Ｌ）の干渉を受ける。
【００３７】
つまり、第１のリレー無線機Ａ（１０Ａ）は、第１のリレー無線機Ｂ（１０Ｂ）が送信する信号と、第１のリレー無線機Ｃ（１０Ｃ）が送信する信号とから直接的な干渉を受けない場合にも、両信号を受信することで、発生した相互変調の影響を受ける場合がある。
【００３８】
このため、本実施形態のように、１つ以下の他の信号の受信を許可するように、周波数帯域の割り当ての制御、およびフィルタの切り替えの制御をすればよい。本実施形態において、第１のリレー無線機Ｂ（１０Ｂ）に割り当てられたタイプＷ５３の周波数帯域の信号は、ハイパスフィルタを透過するが、第１のリレー無線機Ｃ（１０Ｃ）に割り当てられたタイプＷ４９の周波数帯域の信号は、ハイパスフィルタを透過しない。したがって、相互変調が発生せず、第１のリレー無線機Ａ（１０Ａ）の通信に悪影響を及ぼさない。
【００３９】
Ｓ１８において、制御部１０Ｆは、Ｓ１６にて割り当てた周波数帯域が透過するように、第１のリレー無線機Ｂ（１０Ｂ）のフィルタ１８Ｂを切り替える。例えば、図３に示す例において、第１のリレー無線機Ｂ（１０Ｂ）には、タイプＷ５３の周波数帯域が割り当てられたので、フィルタ１８Ｂを、５２５０ＭＨｚ以上の周波数を透過させるハイパスフィルタに切り替える。
【００４０】
また、制御部１０Ｆは、第１のリレー無線機Ｃ（１０Ｃ）のフィルタ１８Ｃを切り替える。例えば、図３に示す例において、第１のリレー無線機Ｃ（１０Ｃ）には、タイプＷ４９の周波数帯域が割り当てられたので、フィルタ１８Ｃを、５２５０ＭＨｚ未満の周波数を透過させるローパスフィルタに切り替える。
【００４１】
このように、本実施形態において、各無線機のフィルタは、当該フィルタの設けられた無線機が通信する周波数帯域と、他の１つの無線機が通信する周波数帯域とを含む帯域を透過させ、それ以外の帯域を遮断する。
【００４２】
仮に、第１のリレー無線機Ａ（１０Ａ）が、自分に割り当てられた周波数帯域のみを透過させるフィルタを搭載していれば、干渉を避けることは可能である。しかしながら、この場合、割り当て可能な周波数帯域毎のフィルタを用意する必要がある。また、フィルタを透過可能な周波数帯域が狭くなるので、通信の損失が大きくなる。
【００４３】
また、制御部１０Ｆは、第１のリレー無線機Ａ（１０Ａ）が受信した信号の周波数（ルートから指定された通信周波数）が変更した場合、変更後の周波数を含む周波数帯域を再割当し、変更後の周波数が透過するフィルタにフィルタ１８Ａを切り替える。また、合わせて、制御部１０Ｆは、第１のリレー無線機Ｂ（１０Ｂ）、および第１のリレー無線機Ｃ（１０Ｃ）に割り当てる周波数帯を変更し、フィルタ１８Ｂ、およびフィルタ１８Ｃを切り替える。
【００４４】
〔実施形態２〕
本発明の他の実施形態について、図４〜図５に基づいて説明すれば、以下のとおりである。なお、説明の便宜上、前記実施形態にて説明した部材と同じ機能を有する部材については、同じ符号を付記し、その説明を省略する。
【００４５】
図４に示すように、本実施形態に係る無線装置１’は、５つの無線機（無線機Ａ（１０’Ａ）、無線機Ｂ（１０’Ｂ）、無線機Ｃ（１０’Ｃ）、無線機Ｄ（１０’Ｄ）、および無線機Ｅ（１０’Ｅ））、および制御部１０’Ｆを含んでいる。５つの無線機各々の構成は、上記実施形態に係る第１のリレー無線機Ａ（１０Ａ）の構成と同様である。
【００４６】
無線機Ａ（１０’Ａ）は、上記実施形態に係るルートに対応する無線装置（不図示）と通信する。
【００４７】
無線機Ｂ（１０’Ｂ）、無線機Ｃ（１０’Ｃ）、および無線機Ｄ（１０’Ｄ）は、例えばＰＣ等の外部装置（不図示）と通信する。
【００４８】
無線機Ｅ（１０’Ｅ）は、上記実施形態に係る第２のリレーに対応する無線装置（不図示）と通信する。
【００４９】
〔処理の流れ〕
次に、無線装置１’が実行する処理（無線装置の制御方法）の流れを説明する。図５は、各無線機への周波数帯域の割り当ての一例を示す図である。
【００５０】
制御部１０’Ｆは、無線機Ａ（１０’Ａ）に、受信した信号の周波数（ルートから指定された通信周波数）を含む周波数帯域を割り当てる（図２のＳ１２に対応）。例えば、図５に示す例において、無線機Ａ（１０’Ａ）のアンテナが、ルートから受信した信号の周波数は、５５１０ＭＨｚであるので、５４９０〜５５９０ＭＨｚの周波数帯域を割り当てる。
【００５１】
制御部１０’Ｆは、割り当てた周波数帯域が透過するように、無線機Ａ（１０’Ａ）のフィルタを、切り替える（図２のＳ１４に対応）。例えば、図５に示す例において、無線機Ａ（１０’Ａ）には、５４９０〜５５９０ＭＨｚの周波数帯域が割り当てられたので、タイプＷ５６の周波数帯域の周波数を透過させるフィルタに切り替える。
【００５２】
制御部１０’Ｆは、無線機Ｂ（１０’Ｂ）、無線機Ｃ（１０’Ｃ）、無線機Ｄ（１０’Ｄ）、および無線機Ｅ（１０’Ｅ）に、周波数帯域を割り当てる（図２のＳ１６に対応）。その際、制御部１０Ｆ’は、無線機Ｂ（１０’Ｂ）、無線機Ｃ（１０’Ｃ）、無線機Ｄ（１０’Ｄ）、および無線機Ｅ（１０’Ｅ）のいずれか一つの無線機に対してのみ、無線機Ａ（１０’Ａ）のフィルタを透過する周波数帯域を割り当てる。
【００５３】
例えば、図５に示す例において、制御部１０’Ｆは、無線機Ａ（１０’Ａ）と設置位置が最も遠い無線機Ｅ（１０’Ｅ）に、無線機Ａ（１０’Ａ）のフィルタを透過する周波数帯域（５５９０〜５６９０ＭＨｚ）を割り当てる。
【００５４】
また、図５に示す例において、制御部１０’Ｆは、無線機Ｂ（１０’Ｂ）には５１７０〜５２５０Ｍｈｚの周波数帯域を割り当て、無線機Ｃ（１０’Ｃ）には４９１０〜４９９０ＭＨｚの周波数帯域を割り当て、無線機Ｄ（１０’ Ｄ）には５２５０〜５３４０Ｍｈｚの周波数帯域を割り当てる。無線機Ｂ（１０’Ｂ）、無線機Ｃ（１０’Ｃ）、および無線機Ｄ（１０’Ｄ）に割り当てられた周波数帯域は、無線機Ａ（１０’Ａ）のフィルタを透過しない。
【００５５】
制御部１０’Ｆは、割り当てた周波数帯域が透過するように、無線機Ｂ（１０’Ｂ）のフィルタ、無線機Ｃ（１０’Ｃ）のフィルタ、無線機Ｄ（１０’Ｄ）のフィルタ、および無線機Ｅ（１０’Ｅ）のフィルタを、切り替える（図２のＳ１８に対応）。例えば、図５に示す例において、制御部１０’Ｆは、無線機Ｂ（１０’Ｂ）、無線機Ｄ（１０’Ｄ）について、無線機Ｂ（１０’Ｂ）の周波数帯域、および無線機Ｄ（１０’Ｄ）の周波数帯域が透過するフィルタに切り替える。また、図５に示す例において、制御部１０’Ｆは、無線機Ｃ（１０’Ｃ）について、無線機Ｃ（１０’Ｃ）の周波数帯域が透過するフィルタに切り替える。また、図５に示す例において、制御部１０’Ｆは、無線機Ｅ（１０’Ｅ）について、無線機Ａ（１０’Ａ）の周波数帯域、および無線機Ｅ（１０’Ｅ）の周波数帯域が透過するフィルタ、すなわち、無線機Ａ（１０’Ａ）と同様のフィルタに切り替える。
【００５６】
本実施形態においても、各無線機のフィルタは、当該フィルタの設けられた無線機が通信する周波数帯域と、１つ以下の他の無線機が通信する周波数帯域とを含む帯域を透過させ、それ以外の帯域を遮断する。その結果、いずれの無線機においても、他の２つ以上の無線機が送信する信号による相互変調が発生しない。
【００５７】
〔ソフトウェアによる実現例〕
第一の実施形態に係る第１のリレー１の制御部１０Ｆ、および第二の実施形態に係る無線装置１’の制御部１０’Ｆは、集積回路（ＩＣチップ）等に形成された論理回路（ハードウェア）によって実現してもよいし、１つ、または複数のプロセッサにより実行されるソフトウェアによって実現してもよい。
【００５８】
後者の場合、第一の実施形態に係る第１のリレー１、および第二の実施形態に係る無線装置１’は、各機能を実現するソフトウェアであるプログラムの命令を実行する１つ、または複数のプロセッサ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはプロセッサ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５９】
〔まとめ〕
本発明の態様１に係る無線機（第１のリレー無線機Ａ（１０Ａ））は、アンテナ１２Ａと、当該アンテナ１２Ａに接続された非線形素子（スイッチ１４Ａ）と前記アンテナ１２Ａと前記非線形素子（スイッチ１４Ａ）とを繋ぐ経路上に設けられたフィルタ１８Ａとを備えている。
【００６０】
上記の構成によれば、干渉を起こす可能性のある信号が非線形素子を通過することを防ぐことができる。
【００６１】
本発明の態様２に係る無線装置（第１のリレー１）は、３つ以上の無線機（第１のリレー無線機Ａ（１０Ａ））を備えた無線装置（第１のリレー１）であって、上記３つ以上の無線機（第１のリレー無線機Ａ（１０Ａ））の少なくとも何れかは、アンテナ１２Ａと、当該アンテナ１２Ａに接続された非線形素子（スイッチ１４Ａ）と、前記アンテナ１２Ａと前記非線形素子（スイッチ１４Ａ）とを繋ぐ経路上に設けられたフィルタ１８Ａとを備えている。
【００６２】
上記の構成によれば、態様１と同様の効果を奏する。
【００６３】
本発明の態様３に係る無線装置（第１のリレー１）は、上記態様２において、上記フィルタ１８Ａは、当該フィルタ１８Ａの設けられた無線機（第１のリレー無線機Ａ（１０Ａ））が通信する周波数帯域と、１つ以下の他の無線機が通信する周波数帯域とを含む帯域を透過させ、それ以外の帯域を遮断してもよい。
【００６４】
上記の構成によれば、１つ以下の他の無線機が通信する周波数帯域のみがフィルタを透過するので、相互変調が発生しない。
【００６５】
本発明の態様４に係る無線装置（第１のリレー１）は、上記態様３において、制御部１０Ｆを備え、上記制御部１０Ｆは、当該無線装置（第１のリレー１）が備える各無線機が通信する周波数帯域を決定し、当該決定結果に応じて、複数のフィルタ候補から、上記フィルタを選択してもよい。
【００６６】
上記の構成によれば、各々の無線機が通信する周波数帯域が制御されるので、各々の無線機が干渉を受けない。
【００６７】
本発明の態様５に係る無線システム１０００は、複数の無線装置を含む無線システムにおいて、上記複数の無線装置のうち少なくとも何れかの無線装置は、３つ以上の無線機を備えた無線装置であり、上記３つ以上の無線機のうち少なくとも何れかの無線機は、アンテナと、当該アンテナに接続された非線形素子と、前記アンテナと前記非線形素子とを繋ぐ経路上に設けられたフィルタとを備えている。
【００６８】
上記の構成によれば、態様１と同様の効果を奏する。
【００６９】
本発明の態様６に係る無線システム１０００は、上記態様５において、上記少なくとも何れかの無線装置は、１又は複数の他の無線装置と通信を行ってもよい。
【００７０】
上記の構成によれば、無線装置に備わる無線機は、各々が異なる装置と通信することができる。
【００７１】
本発明の態様７に係る制御方法は、３つ以上の無線機を備えた無線装置の制御方法であって、上記３つ以上の無線機の少なくとも何れかは、アンテナと、当該アンテナに接続された非線形素子と、前記アンテナと前記非線形素子とを繋ぐ経路上に設けられたフィルタとを備えており、上記フィルタの設けられた無線機の少なくとも何れかが信号を受信すると、当該信号の周波数を含む周波数帯域を、当該無線機に割り当てる割当ステップと、上記フィルタを、当該フィルタの設けられた無線機が通信する周波数帯域と、１つ以下の他の無線機が通信する周波数帯域とを含む帯域を透過させ、それ以外の帯域を遮断するフィルタに切り替える切替ステップとを含む。
【００７２】
上記の構成によれば、態様１と同様の効果を奏する。
【００７３】
本発明の態様８に係る制御方法は、複数の無線装置を含む無線システムの制御方法であって、上記複数の無線装置のうち少なくとも何れかの無線装置は、３つ以上の無線機を備えた無線装置であり、上記３つ以上の無線機のうち少なくとも何れかの無線機は、アンテナと、当該アンテナに接続された非線形素子と、前記アンテナと前記非線形素子とを繋ぐ経路上に設けられたフィルタとを備えており、上記フィルタの設けられた無線機の少なくとも何れかが信号を受信すると、当該信号の周波数を含む周波数帯域を、当該無線機に割り当てる割当ステップと、上記フィルタを、当該フィルタの設けられた無線機が通信する周波数帯域と、１つ以下の他の無線機が通信する周波数帯域とを含む帯域を透過させ、それ以外の帯域を遮断するフィルタに切り替える切替ステップとを含む。
【００７４】
上記の構成によれば、態様１と同様の効果を奏する。
【００７５】
本発明の各態様に係る無線装置は、コンピュータによって実現してもよく、この場合には、コンピュータを上記無線装置が備える各部（ソフトウェア要素）として動作させることにより上記無線装置をコンピュータにて実現させる無線装置の制御プログラム、およびそれを記録したコンピュータ読み取り可能な記録媒体も、本発明の範疇に入る。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７７】
１  第１のリレー（無線装置）
１’  無線装置
１０Ａ  第１のリレー無線機Ａ（無線機）
１０’Ａ  無線機Ａ（無線機）
１２Ａ  アンテナ
１４Ａ  スイッチ（非線形素子）
１８Ａ  フィルタ
１０００  無線システム
【図１】
2018182478.tif 000003
【図２】
2018182478.tif 000004
【図３】
2018182478.tif 000005
【図４】
2018182478.tif 000006
【図５】
2018182478.tif 000007